(57)【特許請求の範囲】
【請求項１】
タイヤ分化生産プラントにおいて基本半完成要素（１）の格納を制御するための方法であって、前記基本半完成要素（１）は、少なくとも１つの繊維もしくは金属の補強コードを内部に有する、エラストマ材料の連続伸長要素であり、前記方法は：
−基本半完成要素（１）を格納するための少なくとも１つの収集支持体（４）を提供するステップと；
−サービス膜（３）に関連付けられた前記基本半完成要素（１）を実質的に隣り合うコイル状に堆積させることにより、前記収集支持体（４）上に複数の繰り返しユニットを形成するステップと；を含み、前記繰り返しユニットの各々は：
−０°でない予め設定された巻回角度θで反対の螺旋方向に堆積させた少なくとも２つの隣接する層と；
−２つの異なる螺旋方向の間の遷移において、３６０°未満かつ４５°以上の円周方向角度ωについて、実質的に０°に等しい巻回角度θで前記基本半完成要素（１）を前記収集支持体（４）上に堆積させることにより得られる巻線の少なくとも２つの部分と；を含む、方法。
【請求項２】
前記巻回角度θは、前記少なくとも１つの収集支持体（４）および前記基本半完成要素（１）の少なくとも１つの寸法パラメータの関数として定義される、請求項１に記載の方法。
【請求項３】
前記少なくとも１つの収集支持体（４）の前記少なくとも１つの寸法パラメータは、各支持体の呼び径（Ｄ）に対応する、請求項２に記載の方法。
【請求項４】
前記基本半完成要素（１）の前記少なくとも１つの寸法パラメータは、前記基本半完成要素（１）の１つの横方向寸法（Ｌ）に対応する、請求項２に記載の方法。
【請求項５】
前記少なくとも１つの収集支持体（４）の前記呼び径（Ｄ）の値は、６００ｍｍ以上である、請求項３に記載の方法。
【請求項６】
前記少なくとも１つの収集支持体（４）の前記呼び径（Ｄ）の値は、１ｍ以上である、請求項３に記載の方法。
【請求項７】
前記基本半完成要素（１）の前記横方向寸法（Ｌ）の値は、１５ｍｍ以上である、請求項４に記載の方法。
【請求項８】
前記基本半完成要素（１）の前記横方向寸法（Ｌ）の値は、６０ｍｍ以下である、請求項４に記載の方法。
【請求項９】
前記基本半完成要素（１）の前記横方向寸法（Ｌ）の値は、１５ｍｍ以上、６０ｍｍ以下である、請求項４に記載の方法。
【請求項１０】
前記基本半完成要素（１）の前記横方向寸法（Ｌ）の値は、２５ｍｍ以上、４０ｍｍ以下である、請求項４に記載の方法。
【請求項１１】
前記円周方向角度（ω）は、３１５°以下の値を有する、請求項１に記載の方法。
【請求項１２】
前記円周方向角度（ω）は、４５°以上、３１５°以下の値を有する、請求項１に記載の方法。
【請求項１３】
−前記基本半完成要素（１）を堆積させる前記ステップに先立って、前記基本半完成要素（１）の少なくとも一部分に作用する負荷を低減するステップ；をさらに含む、請求項１に記載の方法。
【請求項１４】
−前記基本半完成要素（１）を堆積させるための少なくとも１つの堆積装置（２）を提供するステップと；
−前記少なくとも１つの堆積装置（２）を定義された給送方向に給送するように設計された前記基本半完成要素（１）用の少なくとも１つの給送システム（５）を提供するステップであって、前記給送システム（５）は、前記基本半完成要素（１）の少なくとも一部分に係合する少なくとも１つの速度補償装置（６）を含む、ステップと；
−前記速度補償装置（６）に作用する張力低減装置（８）を挿入するステップと；をさらに含む、請求項１３に記載の方法。
【請求項１５】
前記速度補償装置（６）は、複数のアイドラローラ（７）を含む、請求項１４に記載の方法。
【請求項１６】
前記張力低減装置（８）は、前記基本半完成要素（１）の給送方向の回転を駆動するように設計された少なくとも１つのモータユニット（９）を含む、請求項１４に記載の方法。
【請求項１７】
前記モータユニット（９）は、一定のトルクを有する、請求項１６に記載の方法。
【請求項１８】
前記サービス膜（３）は、前記収集支持体（４）の回転により格納リール（１１）から取られる、請求項１〜１７のいずれか一項に記載の方法。
【請求項１９】
前記サービス膜（３）は、ポリエチレンテレフタレートを含む、請求項１〜１８のいずれか一項に記載の方法。
【請求項２０】
タイヤの少なくとも１つのコンポーネントを組み付けるステップであって、前記コンポーネントは、少なくとも１つの収集支持体（４）により巻き出された前記基本半完成要素（１）から始まって得られる、ステップ；を含む、請求項１〜１９のいずれか一項に記載の方法。
【請求項２１】
タイヤ分化生産プラントにおいて用いるための基本半完成要素（１）用の格納および給送装置であって、前記基本半完成要素（１）は、少なくとも１つの繊維もしくは金属の補強コードを内部に有する、エラストマ材料の連続伸長要素であり、前記装置は、負荷条件で：
−基本半完成要素（１）用の収集支持体（４）と；
−サービス膜（３）に関連付けられた前記基本半完成要素（１）を前記収集支持体（４）上で実質的に隣り合うコイル状に堆積させることにより得られる複数の繰り返しユニットと；を含み、前記繰り返しユニットの各々は：
−０°でない予め設定された巻回角度θで反対の螺旋方向に堆積させた少なくとも２つの隣接する層と；
−３６０°未満かつ４５°以上の円周方向角度ωについて、実質的に０°に等しい巻回角度θで前記基本半完成要素（１）を前記収集支持体（４）上に堆積させることにより得られる巻線の少なくとも２つの部分と；を含む、格納および給送装置。
【請求項２２】
前記巻回角度θは、前記格納装置および前記基本半完成要素（１）の少なくとも１つの寸法パラメータの関数として定義される、請求項２１に記載の格納および給送装置。
【請求項２３】
前記少なくとも１つの収集支持体（４）の前記少なくとも１つの寸法パラメータは、前記支持体（４）の呼び径（Ｄ）に対応する、請求項２２に記載の格納および給送装置。
【請求項２４】
前記基本半完成要素（１）の前記少なくとも１つの寸法パラメータは、前記基本半完成要素（１）の横方向寸法（Ｌ）に対応する、請求項２２に記載の格納および給送装置。
【請求項２５】
前記収集支持体（４）の前記呼び径（Ｄ）の値は、６００ｍｍ以上である、請求項２３に記載の格納および給送装置。
【請求項２６】
前記収集支持体（４）の前記呼び径（Ｄ）の値は、１ｍ以上である、請求項２３に記載の格納および給送装置。
【請求項２７】
前記基本半完成要素（１）の前記横方向寸法（Ｌ）の値は、１５ｍｍ以上、６０ｍｍ以下である、請求項２４に記載の格納および給送装置。
【請求項２８】
前記基本半完成要素（１）の前記横方向寸法（Ｌ）の値は、２５ｍｍ以上、４０ｍｍ以下である、請求項２４に記載の格納および給送装置。
【請求項２９】
前記円周方向角度（ω）は、４５°以上、３１５°以下の値を有する、請求項２１に記載の格納および給送装置。
【発明の詳細な説明】
【技術分野】
【０００１】
本発明は、タイヤ構築プラントにおいて、サービス膜（service film）に関連付けて、収集支持体上に基本半完成製品を格納するための方法および装置に関する。タイヤの生産サイクルは、異なるタイヤコンポーネントが１つ以上の構築ラインにおいて製造および／または組立される構築プロセスに続いて、所望されるジオメトリおよびトレッドパターンに従うタイヤ構造を定義するように適合された加硫およびモールド成形プロセスが行われることを想定している。
【背景技術】
【０００２】
タイヤは、一般に、実質的に径方向の平面（径方向平面はタイヤ回転軸心を含む）に在する補強コードで補強された、１つ以上のカーカスプライを含む円環リング形状のカーカスを含む。各カーカスプライは、その端部が、金属製で「ビードコア」と称される少なくとも１つの環状補強構造に一体的に関連付けられており、かかる構造は、ビードの、すなわちタイヤの径方向内側端の、補強要素を構成し、かかるビードの機能は、タイヤを対応する装着リムに組み付けることを可能にすることである。「トレッドバンド」と称されるエラストマ材料のバンドが、前記カーカスに対してクラウン方向に配置され、かかるバンドに、加硫およびモールド成形プロセスの最後に、地面と接触するための隆起パターンが形成される。カーカスとトレッドバンドとの間には、一般にベルト構造または「ブレーカ」として知られる補強構造が介設されている。このブレーカは、通常、自動車用タイヤの場合、少なくとも２つの径方向に重ねられたゴム引き膜のストリップを含み、かかるストリップには、各ストリップにおいて互いに平行に配設された、好ましくはタイヤの赤道面に対して対称的に、隣接するストリップのコードと交差する、通常は金属製の補強コードが設けられる。好ましくは、ベルト構造は、径方向外側位置において、少なくとも下にあるベルトストリップの端部において、周方向に（０度に）配設された繊維または金属のコードの第３層も含む。
【０００３】
最後に、チューブレスタイプのタイヤにおいて、タイヤに気密性を保証するための不浸透性特徴を有する、ライナと称される径方向内側層が存在する。
【０００４】
本明細書および後続の請求項において、「エラストマ材料」との用語は、少なくとも１つのエラストマ重合体と少なくとも１つの補強フィラとを含む組成を意図する。好ましくは、この組成は、さらに、架橋剤および／または可塑剤などの添加剤を含む。架橋剤の存在により、最終製造物を形成するようにこの材料を加熱により架橋させることが可能である。
【０００５】
本明細書の以下および後続の請求項において、「伸長要素」との用語は、異なる指定が無ければ、その長手方向に沿ってより大きい延長を有するエラストマ材料の要素を示すものと理解される。この伸長要素は、エラストマ材料の基質に埋め込まれた繊維または金属の補強コードを含むことが可能である。
【０００６】
本明細書および後続の請求項において、「基本半完成要素」との表現は、連続伸長要素を適切なサイズに切断することにより得られる、少なくとも１つの繊維もしくは金属の補強コードおよび／または一般に「ストリップ状要素」と称されるエラストマ材料のストリップを内部に有する、エラストマ材料の連続伸長要素を意味する。
【０００７】
一般に、これらの基本半完成要素は、例えばカーカスプライ、ベルトストリップ、およびいくつかのタイプの補強要素の形成に寄与する、実質的に円筒状および／または実質的に円環状の堆積面上に、相互に並んだ関係に堆積される（deposited）。
【０００８】
本明細書および後続の請求項において、プラントの「分化生産（differentiated production）」とは、各タイヤの生産において、エラストマ材料のサイズおよび／もしくはタイプにおいて、ならびに／または繊維もしくは金属の補強コードのタイプにおいて異なる基本半完成要素を用いる可能性を意図している。
【０００９】
本発明の以下において、格納装置の「呼び径（nomial diameter）」との表現は、この装置の巻回芯の外径を意図し、すなわち、要素自体を巻回する前に測定された要素の堆積面に関する。
【００１０】
同じ出願人による国際公開第０９／０４０５９４号は、異なるタイヤのタイプおよびサイズを形成するため、異なる独立した生産ユニットが好適に互いに一体化および同期化されている、タイヤ生産のためのプラントおよびプロセスを示す。この文書に記載のプロセスは、生産される各タイヤについて異なるとともに作業ステーションに動作的に関連付けられた給送ユニットから供給される基本半完成要素の使用を想定している。
【００１１】
英国特許第８８２，５０３号は、格納装置上に伸長要素とサービス膜とを同時に巻回するための装置を開示している。伸長要素は、エラストマ材料の基質に埋め込まれた補強コードを含む。この伸長要素は、タイヤ生産のためのカーカスプライを作製するために用いられる。装置は、伸長要素を格納装置に給送するための装置と、サービス膜を前記格納装置に給送するための装置とを含む。格納装置の回転により、伸長要素とサービス膜とが装置自体の上に同時に巻回される。サービス膜は、特に、伸長要素の重ねられたコイルの間に介設される。
【００１２】
欧州特許第０６４９８０７号は、補強糸／ワイヤもしくはコードを含むゴム引きシートまたはナイロンストリップなど、タイヤを生産するために用いられるリボン状要素を巻回するための方法および装置を開示している。
【００１３】
出願人は、互いに非常に異なる技術的要件を有するタイヤを作製するように設計された、国際公開第０９／０４０５９４号に記載のものなどの構築プラントにおいて、基本半完成要素が、構築プロセスを停止することなく使用の瞬間において異なるタイプから選択されると都合がよいことを観察した。
【００１４】
この文脈において、出願人は、基本半完成要素が給送装置を通じて異なる作業ステーションに提供され、かかる基本半完成要素は、好ましくは前もって作成および／または格納されており、高い柔軟性で意図された作業に利用可能にされるのが有利であると考える。
【００１５】
出願人は、さらに、英国特許第８８２，５０３号に記載のものなどの格納装置は、個々の基本半完成要素の量の点において利用可能性が限定されているため、タイヤ分化生産プラントに存在するタイプの給送作業ステーションにおいて用いるためにはいくつかの欠点を伴うことを確認した。
【００１６】
特に、出願人は、給送装置の交換によるプラントの非活動時間を削減することによりプラント自体の生産性を増加させるように、個々の半完成要素を格納する高い能力を各々特徴とする複数の給送装置を通じて異なる作業ステーションに供給することが有利であることを認識した。
【００１７】
出願人は、さらに、何らかのタイヤコンポーネントを作製するための堆積面上に相互に接近した関係で基本半完成要素を堆積させるステップを含むプロセスにおいて、これらのコンポーネントの構築サイクル時間は、基本半完成要素自体の横方向サイズに依存することを観察した。
【発明の概要】
【発明が解決しようとする課題】
【００１８】
このため、出願人は、上記プロセスの生産性をさらに増加させるように、既知のプロセスにおいて用いられる基本半完成要素の横方向サイズと比較してより大きい横方向サイズを特徴とする基本半完成要素を用いる必要性を認識した。
【００１９】
これらの要求に関して、出願人は、上記タイプのプロセスにおいて用いられる給送装置よりも径方向と軸方向との両方において大きいサイズを特徴とする給送装置を用いる可能性を感じた。
【００２０】
出願人は、既知の方法に従って給送装置上に巻回された上記サイズの基本半完成要素を格納するために前記給送装置を用いることは、基本半完成要素のサイズがより大きいことに明らかに起因する品質の問題を伴うことを検証した。
【００２１】
出願人は、さらに、これらの問題は、基本半完成要素を格納装置上に巻回する前に基本半完成要素に加える張力の制御を行うことにより、軽減されることはあっても満足行くようには解決されなかったことを検証した。
【００２２】
このため、出願人は、プラントの作業ステーションの最適な格納および給送システムを得ることによりタイヤの品質レベルおよびプラントの生産性が改善されるように、基本半完成要素の格納を制御するための方法、ならびに、タイヤ分化生産プラントにおける適用に際してサービス膜に関連した収集支持体上への基本半完成要素の巻回を制御することを可能にする格納および給送装置を開発する必要性を感じた。
【課題を解決するための手段】
【００２３】
このため、出願人は、収集支持体上への基本半完成要素の巻回を支持体および基本半完成要素の特定の寸法パラメータの関数として調節することにより、実質的に半完成要素に張力が残留することなく均一な巻回を得ることが可能であることを見出した。
【００２４】
したがって、第１の態様において、本発明は、タイヤ分化生産プラントにおいて基本半完成要素の格納を制御するための方法であって：
−基本半完成要素を格納するための少なくとも１つの収集支持体を提供するステップと；
−サービス膜に関連付けられた前記基本半完成要素を実質的に隣り合うコイル状に堆積させることにより、前記収集支持体上に複数の繰り返しユニットを形成するステップと；を含み、前記繰り返しユニットの各々は：
−０°でない予め設定された巻回角度θで反対の螺旋方向に堆積させた少なくとも２つの隣接する層と；
−２つの異なる螺旋方向の間の遷移において、３６０°未満の円周方向角度ωについて、実質的に０°に等しい巻回角度θで前記基本半完成要素を前記収集支持体上に堆積させることにより得られる巻線の少なくとも２つの部分と；を含む、方法に言及する。
【００２５】
出願人は、基本半完成要素の格納を制御するためのこの方法により、一旦収集支持体から巻き出されて意図された作業に利用可能になった前記基本半完成要素が、実質的に変形しないようであると考える。
【００２６】
このため、出願人は、材料の切れ端（scrap）の発生および／またはこの基本半完成要素が用いられる最終製品における欠陥の形成のリスクが低減されると考える。
【００２７】
第２の態様によれば、本発明は、タイヤ分化生産プラントにおいて用いるための基本半完成要素用の格納および給送装置であって、前記装置は、負荷条件下で：
−基本半完成要素用の収集支持体と；
−サービス膜に関連付けられた前記基本半完成要素を前記収集支持体上で実質的に隣り合うコイル状に堆積させることにより得られる複数の繰り返しユニットと；を含み、前記繰り返しユニットの各々は：
−０°でない予め設定された巻回角度θで反対の螺旋方向に堆積させた少なくとも２つの隣接する層と；
−３６０°未満の円周方向角度ωについて、実質的に０°に等しい巻回角度θで前記基本半完成要素を前記収集支持体上に堆積させることにより得られる巻線の少なくとも２つの部分と；を含む、格納および給送装置に言及する。
【００２８】
本発明は、前述の態様の少なくとも一方において、個別にまたは他との組み合わせにより、後続の好適な特徴の少なくとも１つを有することが可能である。
【００２９】
本発明の好適な実施形態において、巻回角度θは、前記少なくとも１つの収集支持体および前記基本半完成要素の少なくとも１つの寸法パラメータの関数として定義される。
【００３０】
好ましくは、前記少なくとも１つの収集支持体の寸法パラメータは、各収集支持体の呼び径に対応する。
【００３１】
好ましくは、前記基本半完成要素の寸法パラメータは、基本半完成要素の横方向寸法に対応する。
【００３２】
本発明の好適な実施形態において：
−基本半完成要素を堆積させる前記ステップに先立って、前記基本半完成要素の少なくとも一部分に作用する負荷を低減するステップ；が設けられる。
【００３３】
本発明のさらなる好適な実施形態は：
−前記基本半完成要素を堆積させるための少なくとも１つの堆積装置を提供するステップと；
−前記少なくとも１つの堆積装置と定義された給送方向において連動するように設計された前記基本半完成要素用の少なくとも１つの給送システムを提供するステップであって、前記給送システムは、前記基本半完成要素の少なくとも一部分に係合する少なくとも１つの速度補償装置を含む、ステップと；
−前記速度補償装置に作用する張力低減装置を挿入するステップと；をさらに含む。
【００３４】
好ましくは、前記速度補償装置は、複数のアイドラローラを含む。
【００３５】
より好ましくは、前記張力低減装置は、基本半完成要素の給送方向の回転を駆動するように設計された少なくとも１つのモータユニットを含む。
【００３６】
好ましくは、前記モータユニットは、一定のトルクを特徴とする。
【００３７】
好適な実施形態において、前記サービス膜は、前記収集支持体の回転により格納リールから取られる。
【００３８】
より好ましくは、前記サービス膜は、基本半完成要素の最終的な使用に先立って、基本半完成要素から除去されるように設計されている。
【００３９】
好ましくは、前記サービス膜は、ポリエチレンテレフタレートまたはポリエステルを含む。
【００４０】
本発明の特に好適な実施形態において、タイヤの少なくとも１つのコンポーネントを組み付けるステップであって、かかるコンポーネントは、少なくとも１つの収集支持体から巻き出された前記基本半完成要素から始まって得られる、ステップが設けられる。
【００４１】
本発明のさらなる特徴および利点は、本発明による方法および装置のいくつかの好適な実施形態の後続の詳細な説明を添付図面とともに参照することで、より明らかになろう。図面は以下のとおりである。
【図面の簡単な説明】
【００４２】
【図１】本発明による格納装置上に基本半完成要素を堆積させるため装置の概略図である。
【図２】本発明による格納装置の一部分の概略図である。
【図３】本発明による格納装置上に堆積させた基本半完成要素の一部分の概略図である。
【発明を実施するための形態】
【００４３】
図１において、サービス膜３が介在した状態で基本半完成要素１を収集支持体上に堆積させるための装置の例示による実施形態を、全体的に参照番号１０で識別する。
【００４４】
この装置１０は、特に、他の装置との関連により、車両ホイール用タイヤを生産するためのプロセスにおいて用いられる。このプロセスは、特に、実質的に円筒状および／または実質的に円環状の堆積面上の基本半完成要素１の部分が相互に接近することにより、カーカスプライ、ベルトストリップ、および何らかのタイプの補強要素が形成されることを意図している。
【００４５】
基本半完成要素１は、装置１０により行われる堆積と並行して、好ましくは装置１０の上流で行われる、従来の押出成形プロセスにより得られる。
【００４６】
好ましくは、前記基本半完成要素１は、約１５ｍｍ以上の横方向サイズ（Ｌ）を有する。
【００４７】
好ましくは、前記基本半完成要素１は、約６０ｍｍ以下の横方向サイズ（Ｌ）を有する。
【００４８】
好ましくは、前記基本半完成要素１は、両端値を含めて約１５ｍｍ〜約６０ｍｍの横方向サイズ（Ｌ）を有する。
【００４９】
好ましくは、前記基本半完成要素１は、両端値を含めて約２５ｍｍ〜約４０ｍｍの横方向サイズ（Ｌ）を有する。
【００５０】
装置１０は、前記装置１０に対して移動可能であるとともに基本半完成要素１を収集支持体４上に堆積させるように適合された堆積装置２を含む。
【００５１】
好ましくは、堆積装置２は、前記収集支持体４の軸心「Ｘ」に対して平行な軸心「Ｙ」上での並進移動、ならびに前記軸心「Ｙ」周りの回転移動を可能にする作動装置を含む。
【００５２】
収集支持体４は、装置１０に対して移動可能であり、値が好ましくは約６００ｍｍ以上である呼び径（Ｄ）の巻回芯または引出芯を含む。
【００５３】
好ましくは、呼び径（Ｄ）の値は、約１ｍ以上である。
【００５４】
好適な実施形態において、収集支持体４の回転移動は、好適なモータユニット（不図示）により駆動される。
【００５５】
図１に概略的に示すように、基本半完成要素１を供給するための給送システム５が装置１０の上流に設けられ、かかるシステムは、前記基本半完成要素１を押出成形装置（不図示）から装置１０に運ぶとともに、前記堆積装置２と連動するように適合されている。
【００５６】
好適な実施形態における給送システム５は、前記基本半完成要素１の一部分に係合するとともに、押出成形装置から外に出ている基本半完成要素１の部分の速度を収集支持体４上への基本半完成要素自体の堆積速度と平衡させるように適合された速度補償装置６を含む。
【００５７】
好適な実施形態において、前記速度補償装置６は、複数のアイドラローラ７を含む。
【００５８】
さらなる好適な実施形態において、速度補償装置６に適用されるとともに、基本半完成要素１に対して作用する負荷の低減を可能にするように基本半完成要素１の給送方向に力を付与するように適合された張力低減装置８が設けられる。
【００５９】
好ましくは、前記張力低減装置８は、複数のアイドラローラ７の１つの近くに配置されている。
【００６０】
さらなる好適な実施形態において、前記張力低減装置８は、好ましくは一定のトルクを有する、モータユニット９を含む。
【００６１】
装置１０は、さらに、サービス膜３用の格納リール１１と、前記サービス膜３を格納リール１１から堆積装置２に運ぶように適合された給送装置１２とを含む。好ましくは、サービス膜３は、ポリエチレンテレフタレートまたはポリエステルを含む。
【００６２】
好適な実施形態において、サービス膜３は、収集支持体４が回転するときに収集支持体４により与えられる引っ張り作用により格納リール１１から巻き出される。
【００６３】
さらなる実施形態において、サービス膜３は、格納リール１１に印加されるモータユニット（不図示）により行われるリール１１自体の回転により格納リール１１から巻き出される。
【００６４】
給送装置１２は、収集支持体４と格納リール１１との間に配置され、第２連のアイドラローラ１３を含むと有利である。
【００６５】
好適な実施形態において、サービス膜３の給送方向に力を付与するように適合されたモータユニット（不図示）が、前記第２連のアイドラローラ１３に属するローラにおいて作用する。
【００６６】
装置１０の動作は、収集支持体４の回転速度を調節するとともに、サービス膜３に関連付けられた基本半完成要素１を収集支持体４上に堆積させる巻回角度θを決定するように適合された好適な制御装置（不図示）により管理される。
【００６７】
この巻回角度θは、収集支持体４および基本半完成要素１の特徴である寸法パラメータの関数として算出される。
【００６８】
本発明の好適な実施形態において、前記巻回角度θは、関係式θ＝ａｒｃｔｇ（Ｌ／πＤ）により、基本半完成要素１の横方向サイズ（Ｌ）と収集支持体４の呼び径（Ｄ）の値との関数として制御装置により決定される。
【００６９】
前記制御装置は、前記張力低減装置８および／または前記第２連のアイドラローラ１３に対して作用する前記モータユニットなど、担当する装置に対して作用することにより、堆積装置２の移動ならびに基本半完成要素１およびサービス膜３の張力を調節すると有利である。
【００７０】
ここで、基本半完成要素１をサービス膜３に関連付けられた収集支持体４上に堆積させるための方法について説明する。
【００７１】
装置１０の準備中、予荷重条件下の収集支持体４およびサービス膜３を含む格納リール１１が、装置１０に含まれる好適なシートに配置される。「予荷重条件」との用語は、格納リール１１が空である、すなわち、格納リール１１上に材料が堆積されていないことを意味する。
【００７２】
続いて、限られた部分のサービス膜３を格納リール１１から巻き出し、収集支持体４の巻回芯の外面上に巻回させる。
【００７３】
給送システム５を通じて、基本半完成要素１の端部が堆積装置２に運ばれ、かかる装置２は、続いて、収集支持体４の芯の外面の近傍に位置決めされる。このようにして、基本半完成要素１の端部が、軸方向外側の開始位置で、前記収集支持体４上に先に堆積されたサービス膜３の部分の近くに配置される。
【００７４】
これらの動作に続いて、収集支持体４が回転し、基本半完成要素１がサービス膜３とともに前記支持体２上に巻回される。
【００７５】
好ましくは、前記サービス膜３は、収集支持体４の回転により与えられる引っ張り作用により格納リール１１から巻き出される。
【００７６】
好ましくは、サービス膜３に接合された前記基本半完成要素１の堆積は、０°と異なる堆積角度θで実質的に隣り合う関係で配設されたコイルの形態で行われ、好適なセンサ（不図示）が堆積面の所定の限界への到達を識別する信号を生成するまで行われる。前記限界は、好ましくは、収集支持体４に対して軸方向に測定された堆積面の自由端を含む。
【００７７】
前記識別信号が生成されると、制御システムは、堆積装置２がその横方向移動を停止するとともに、３６０°よりも小さい円周方向角度ωについて、実質的に０°に等しい巻回角度θで基本半完成要素１を堆積させ続けるように、堆積装置２の移動を調節する。
【００７８】
好ましくは、前記円周方向角度ωは、約３１５°以下の値を有する。
【００７９】
好ましくは、前記円周方向角度ωは、約４５°以上の値を有する。
【００８０】
本発明の好適な実施形態において、前記円周方向角度ωは、両端値を含めて約４５°〜約３１５°に含まれる値を有する。
【００８１】
３６０°未満の円周方向角度ωについてこの巻回を行った後、堆積装置２の横方向移動は、先のステップにおいて行われたのと反対に戻される。次いで、基本半完成要素１を、先の層を形成するように適合された方向と実質的に反対の螺旋方向に０°と異なる前記角度θで堆積させる。
【００８２】
次いで、前記作用、すなわち：基本半完成要素１を０°と異なる所定の巻回角度θで堆積させるステップと；堆積装置２の横方向移動を停止するステップと；３６０°未満の円周方向角度ωについて、実質的に０°に等しい角度θで堆積を行うステップと；堆積装置２の横方向移動を戻し、先の方向と反対の螺旋方向に０°と異なる巻回角度θで堆積を続けるステップと；を繰り返し続けることにより、複数の層が得られる。
【００８３】
好適な実施形態において、この堆積プロセスは、収集支持体２自体のサイズに依存して、支持体の最大容量が到達されたときに終了する。
【００８４】
一旦堆積プロセスが完了したら、基本半完成要素１およびサービス膜の収集支持体４への給送が中断され、前記収集支持体４が提供されたシートから除去され、予荷重条件下の新しい支持体４と交換される。
【００８５】
本発明の好適な実施形態において、収集支持体４の回転速度は、堆積プロセスに関わる要素の幾何学的パラメータおよび物理化学的特徴の関数として、制御システムにより決定されうると有利である。
【図１】
0006008871.tif 000002
【図２】
0006008871.tif 000003
【図３】
0006008871.tif 000004